(57)【要約】      （修正有）【課題】少量多様、特別なプルタブの交換、生産を容易にし、且つ機械及び手動方式で組み立てることができる改良された留め金具構造を提供する。【解決手段】改良された留め金具構造は、スライド１と、ホースヒッチ２と、プルタブ３と、板ばね４と、キャップ５とを含む。スライド１の内部にガイド溝１１が形成され、スライド１の頂部に貫通孔１２が設けられ、貫通孔１２はガイド溝１１までに貫通する。ホースヒッチ２は、スライド１の頂部に設けられ、ホースヒッチ２はフック部２２を有し、ホースヒッチ２のフック部２２はスライド１の貫通孔１２中に伸び込まれる。プルタブ３の一端に位置決め端部３１を有し、該位置決め端部３１はホースヒッチ２とスライド１の頂部との間に位置される。キャップ５は、スライド１の頂部をカバーし、板ばね４は、固定端４１を有し、板ばね４の固定端４１はキャップ５に固定され、且つ板ばね４はホースヒッチ２に弾性的に当接される。【選択図】図１
0003149548.tif 000002
【実用新案登録請求の範囲】
【請求項１】
内部にガイド溝が形成され、頂部に前記ガイド溝まで貫通する貫通孔が設けられるスライドと、
前記スライドの前記頂部に設けられ、且つ前記スライドの前記貫通孔中に伸び込まれたフック部を有するホースヒッチと、
一端に位置決め端部を有し、前記位置決め端部は前記ホースヒッチと前記スライドの前記頂部との間に位置されるプルタブと、
前記スライドの前記頂部をカバーするキャップと、
固定端を有し、前記固定端は前記キャップに固定され、前記ホースヒッチに弾性的に当接される板ばねと、を備えることを特徴とする改良された留め金具構造。
【請求項２】
前記キャップの内壁面に固定座が凸設され、前記板ばねの前記固定端は、前記キャップの前記固定座上に固定されることを特徴とする請求項１に記載の改良された留め金具構造。
【請求項３】
前記板ばねの前記固定端は、前記キャップの前記固定座上にかしめられて固定されることを特徴とする請求項２に記載の留め改良された留め金具構造。
【請求項４】
前記貫通孔の両側に前記スライドから二つのストッパがそれぞれ凸設され、前記二つのストッパは、前記ホースヒッチの両側を留めていることを特徴とする請求項１ないし３のいずれかに記載の改良された留め金具構造。
【請求項５】
前記ホースヒッチは、さらに、ベース及び支点部を有し、前記フック部は、前記ベースの一端から下方へ屈折して延出するように成形され、前記支点部は、前記ベースのもう一端から下方へ屈折して延出するように成形されることを特徴とする請求項１ないし４のいずれかに記載の改良された留め金具構造。
【請求項６】
前記スライドの前記頂部に定位孔が設けられ、前記支点部は前記定位孔内に伸び込まれることを特徴とする請求項５に記載の改良された留め金具構造。
【請求項７】
前記板ばねは、前記ホースヒッチの前記ベースに弾性的に当接されることを特徴とする請求項５または６に記載の改良された留め金具構造。
【請求項８】
前記キャップの前記内壁面に二つの凸部が凸設され、前記二つの凸部の末端に限定面がそれぞれ設けられ、前記キャップの前記二つの凸部の前記限定面は、前記ホースヒッチの前記支点部の上方に位置されることを特徴とする請求項５ないし７のいずれかに記載の改良された留め金具構造。
【請求項９】
前記キャップの両側に２つの切欠きがそれぞれ形成され、前記プルタブの前記位置決め端部は、前記キャップの前記２つの切欠き内を通過することを特徴とする請求項１ないし８のいずれかに記載の改良された留め金具構造。
【考案の詳細な説明】
【技術分野】
【０００１】
本考案は、ファスナー用留め金具構造の改良に関り、特に、キャップに板ばねを固定し、プルタブが手動でより組み立て易くなる改良された留め金具構造に関するものである。
【背景技術】
【０００２】
従来の留め金具構造は、ファスナーを開閉可能な連結構造であって、操作便利の特性を備えているので、今までに、留め金具はバッグや被服に幅広く適用されている。ファスナーの原理は、対向して噛合可能なファスナーテープが、留め金具を往復移動させることにより開閉されることである。このファスナーテープ及び留め金具の材質は、金属やナイロンまたはプラスチック・スチール等のいずれであっても良い。 
【０００３】
従来の留め金具構造は、一般的に、スライド、ホースヒッチ、板ばね、キャップ及びプルタブを含んでいる。フックは、板ばねの押圧によりスライドのガイド溝内に伸び込まれ、プルタブの一端はホースヒッチの下方に位置される。キャップは、ホースヒッチ及び板ばねがキャップ内に位置されるように、スライド上にカバーして固定される。例えば、特許文献１に「留め金具組合構造（二）」が掲示されている。
【０００４】
しかし、前記従来の留め金具は、その板ばねが機械的なかしめの方式でスライドに固定される。この板ばねがスライドに固定されると、ホースヒッチ及びプルタブも一緒にスライドに固定され、プルタブを交換できなくなる。しかしながら、実際の使用上において、下請けのメーカー等は何れもプルタブに対し異なる要求を持っており、自社のニーズに応じて異なるプルタブを交換することが多い。特に、ある一部のスペシャルなプルタブについては、数量が少なく且つ様々な変化があるので、手動のような機械的方式でしか組み立てられないことがある。また、一種類の特別なプルタブは、特定の機台を設けて組み立てる必要があるので、コストの向上が避けられない。
【０００５】
そのため、本考案者は、前記欠点が改良できることを考え、長年以来この領域で積み立てた経験により、熱心な観察および研究をし、さらに学術理論の運用を合せ、ついに合理的な設計で且つ前記の欠点を有効に改良できる本考案を提案した。  
【先行技術文献】
【特許文献】
【０００６】
【特許文献１】中華民国実用新案Ｍ２９２２９６号公報
【考案の概要】
【考案が解決しようとする課題】
【０００７】
本考案の主な目的は、少量で多様な、特別のプルタブを簡単に交換、生産することができ、且つ手動で組み立てられる改良された留め金具構造を提供することにある。
【０００８】
本考案の次の目的は、機械及び手動方式で組み立てられ、組み立の際に自由度が高められる改良された留め金具構造を提供することにある。
【課題を解決するための手段】
【０００９】
前記目的を達成するため、本考案に係る改良された留め金具構造は、スライドと、ホースヒッチと、プルタブと、キャップと、板ばねと、を備える。スライドは、内部にガイド溝が形成され、頂部に前記ガイド溝まで貫通する貫通孔が設けられる。ホースヒッチは、前記スライドの頂部に設けられ、且つフック部を有し、前記フック部は前記スライドの貫通孔中に伸び込まれる。プルタブは、その一端に位置決め端部を有し、前記位置決め端部は前記ホースヒッチと前記スライドの前記頂部との間に位置される。キャップは前記スライドの頂部をカバーする。板ばねは、前記ホースヒッチに弾性的に当接され、且つ固定端を有し、前記固定端は前記キャップに固定される。
【考案の効果】
【００１０】
本考案は、以下の有利な効果がある。主に、板ばねをキャップ内に固定し、該板ばねはスライドに直接的に固定されていないので、板ばねがキャップ内に固定された状態であっても、ホースヒッチ及びプルタブは依然自由な状態となる。これにより、プルタブの交換は便利となり、実際のニーズに応じてプルタブを自由に交換できる。
【００１１】
また、本考案の板ばねはキャップに固定されているため、機械または手動方式を自由に選択して組み立てることができる。特に、ある一部のスペシャルなプルタブについては、数量が少なく且つ様々な変化があるので、手動方式で組み立てれば、コストを削減する効果がある。
【００１２】
本考案の特徴及び技術内容を、以下に本考案に関わる詳しい説明及び添付図面を参照することにより、深く且つ具体的に説明するが、それらの添付図面が参考及び説明のみに使われ、本考案の主張範囲を狭義的に限定するものではないことは言うまでもないことである。
【図面の簡単な説明】
【００１３】
【図１】図１は、本考案に係る留め金具構造の斜視分解図である。
【図２】図２は、本考案に係る留め金具構造の斜視図である。
【図３】図３は、本考案に係る留め金具構造の断面図である。
【図４】図４は、本考案に係る留め金具構造のキャップを示す斜視図である。
【考案を実施するための形態】
【００１４】
図１〜図４を参照すると、本考案に係る改良された留め金具構造は、スライド１と、ホースヒッチ２と、プルタブ３と、板ばね４と、キャップ５とを含み、該スライド１の内部にガイド溝１１が形成され、ファスナーテープ(図略)との配合のために使われる。図１に示すように、該スライド１の頂部に貫通孔１２及び定位孔１３が設けられている。貫通孔１２はガイド溝１１まで貫通し、定位孔１３はスライド１の頂部に凹設される。また、貫通孔１２の両側にスライド１から２つのストッパ１４がそれぞれ凸設される。
【００１５】
ホースヒッチ２は、平坦なベース２１、フック２２及び支点部２３を有し、フック２２は、ベース２１の一端からベース２１の下方へ屈折して延出するように成形され、支点部２３は、ベース２１のもう一端からベース２１の下方へ屈折して延出するように成形される。
【００１６】
プルタブ３は、シート状であり、その外形は限定されず、実際の要求に応じて異なるプルタブ３を選択できる。プルタブ３の一端に位置決め端部３１が設けられ、該位置決め端部３１はロッドである。
【００１７】
板ばね４は、弾性のある金属材質で作製しシート状に形成され、板ばね４の一端に固定端４１が設けられる。
【００１８】
キャップ５は、底部が凹み開口状となる蓋であり、キャップ５の長手方向に沿った対向両側面に切欠き５１がそれぞれ設けられている。キャップ５の内壁面（裏面）に二つの凸部５２が凸設され、二つの凸部５２の末端に限定面５２１（図４に示すように）がそれぞれ設けられる。キャップ５の内壁面（裏面）に固定座５３が別に凸設され、板ばね４の固定端４１は、キャップ５の固定座５３上にかしめられて固定される。
【００１９】
本考案は、組み立ての際に、先ず、スライド１の頂部（定位孔１３とストッパ１４の間）の上方にプルタブ３の位置決め端部３１を設置し、次に、プルタブ３の位置決め端部３１をホースヒッチ２の中央の下方に位置させる。そして、ホースヒッチ２のフック２２はスライド１の貫通孔１２内に伸び込み、支点部２３はスライド１の定位孔１３内に伸び込むように、ホースヒッチ２はスライド１の頂部に設けられる。スライド１のストッパ１４は、ホースヒッチ２が（位置決め端部３１に直交する方向における）左右の変位を生じることを防ぐため、ホースヒッチ２の両側に設けられた。
【００２０】
キャップ５の両側は、複数の点でスライド１にかしめられて固定され、スライド１、ホースヒッチ２、プルタブ３、板ばね４及びキャップ５を一体に結合して留め金具構造を形成した。板ばね４はキャップ５の固定座５３に予め固定されたので、キャップ５がスライド１の頂部に固定的にカバーされると、ホースヒッチ２及び板ばね４は、キャップ５内に同時に収容され、キャップ５の二つの凸部５２の限定面５２１は、ホースヒッチ２の支点部２３の上方に位置される。二つの凸部５２の限定面５２１によりホースヒッチ２の支点部２３に位置制限の効果を与え、且つ、プルタブ３の位置決め端部３１は、キャップ５の二つの切欠き５１に貫通した（を通過した）。板ばね４の中央部分は、ホースヒッチ２のベース２１の表面（上面）に弾性的に当接する。ホースヒッチ２のフック２２は、スライド１の貫通孔１２を介してガイド溝１１の内部に伸び込むことで、ファスナーテープの歯に係止され、またはプルタブ３を引いてホースヒッチ２のフック２２をファスナーテープの歯から離間させることができる。
【００２１】
本考案のホースヒッチ２は、板ばね４の付勢力で固定される他、さらに、キャップ５内に二つの凸部５２が形成され、二つの凸部５２はホースヒッチ２の支点部２３の上方に対応して位置させることで、位置制限の役割を果たす。そのため、プルタブ３を引く力が大き過ぎる場合でも、ホースヒッチ２の支点部２３は、過度な変位を生じず、ホースヒッチ２の変形または所定位置から離脱される恐れを避けられる。また、二つの凸部５２は、キャップ５の内壁面（裏面）に一体成形方式で凸設され、構造の強度は良い。
【００２２】
本考案は、板ばね４をキャップ５の固定座５３に固定し、該板ばね４はスライド１に直接的に固定されていないので、板ばね４がキャップの固定座５３に固定された状態であっても、ホースヒッチ２及びプルタブ３は依然自由な状態となり、プルタブ３の交換は便利となり、実際のニーズに応じてプルタブ３を自由に交換できる。また、本考案の板ばね４はキャップ５の固定座５３に固定されたため、機械または手動方式を自由に選択して組み立てることができる。特に、ある一部のスペシャルなプルタブについては、数量が少なく且つ様々な変化があるので、手動方式で組み立てれば、コストを削減する効果がある。
【００２３】
しかし、以上のような留め金具構造は、単に本考案の好ましい具体的な実施例に過ぎず、本考案の実用新案登録請求の範囲を限定するものではなく、いずれの当該分野における通常の知識を有する専門家は、本考案の分野の中で、適当に変更や修飾などを実施できるが、それらの実施が本考案の主張範囲内に含まれるべきことは言うまでもないことである。
【産業上の利用可能性】
【００２４】
本考案に係る改良された留め金具構造は、バッグや被服などに幅広く利用される。特に、少量で多様な特別のプルタブを備える留め金具に好適に利用される。
【符号の説明】
【００２５】
１  スライド
２  ヒッチ
３  プルタブ
４  板ばね
５  キャップ
１１  ガイド溝
１２  貫通孔
１３  定位孔
１４  ストッパ
２１  ベース
２２  フック
２３  支点部
３１  位置決め端部
４１  固定端
５１  切欠き
５２  凸部
５２１  限定面
５３  固定座
【図１】
0003149548.tif 000003
【図２】
0003149548.tif 000004
【図３】
0003149548.tif 000005
【図４】
0003149548.tif 000006